(57)【特許請求の範囲】
【請求項１】
放送信号を受信する放送信号受信装置において、
電源オン時に、直近の電源オフ時に選局していたチャンネルの選局動作を行い、同期信号の有無によって選局したチャンネルに放送信号があるか無いかを判断し、選局したチャンネルに放送信号が無いと判断した場合には、その後の対応策をユーザに対して表示する表示制御手段と、
ユーザが任意の対応策を実行した後のチャンネル選局動作により、選局したチャンネルに放送信号があった場合には、その対応策を対応履歴として順次蓄積する蓄積手段とを備えており、
前記表示制御手段は、チャンネルの切り替え指示、アンテナ端子の接続確認指示、オートプリセットの実行指示、の複数の対応策の中から前記蓄積手段に蓄積されている対応履歴に従って、対応回数の最も多い対応策を表示し、その対応策が実行された場合には、その後に再度チャンネルの選局動作を行い、選局したチャンネルに放送信号が無い場合には、前記対応履歴に従って次に対応回数の多い対応策を表示する、といった処理を、前記選局動作により放送信号有りと判断されるまで行い、放送信号有りと判断した場合には、前記対応策の表示をオフすることを特徴とする放送信号受信装置。
【請求項２】
放送信号を受信する放送信号受信装置において、
電源オン時に、直近の電源オフ時に選局していたチャンネルの選局動作を行い、選局したチャンネルに放送信号が無い場合には、その後の対応策をユーザに対して表示する表示制御手段を備えており、
前記表示制御手段は、予め設定されている複数の対応策の中から予め決定されている順番に従って１つの対応策を表示し、その対応策が実行された場合には、その後に再度チャンネルの選局動作を行い、選局したチャンネルに放送信号が無い場合には、前記順番に従って次の１つの対応策を表示する、といった処理を、前記選局動作により放送信号有りと判断されるまで行い、放送信号有りと判断した場合には、前記対応策の表示をオフすることを特徴とする放送信号受信装置。
【請求項３】
放送信号を受信する放送信号受信装置において、
電源オン時に、直近の電源オフ時に選局していたチャンネルの選局動作を行い、選局したチャンネルに放送信号が無い場合には、その後の対応策をユーザに対して表示する表示制御手段を備えており、
前記表示制御手段は、チャンネルの切り替え指示、アンテナ端子の接続確認指示、オートプリセットの実行指示の複数の対応策の中から予め決定されている順番に従って１つの対応策を表示し、その対応策が実行された場合には、その後に再度チャンネルの選局動作を行い、選局したチャンネルに放送信号が無い場合には、前記順番に従って次の１つの対応策を表示する、といった処理を、前記選局動作により放送信号有りと判断されるまで行い、放送信号有りと判断した場合には、前記対応策の表示をオフすることを特徴とする放送信号受信装置。
【請求項４】
表示される前記対応策が、チャンネルの切り替え指示、アンテナ端子の接続確認指示、オートプリセットの実行指示のいずれか１つであることを特徴とする請求項２に記載の放送信号受信装置。
【請求項５】
ユーザが任意の対応策を実行した後のチャンネル選局動作により、選局したチャンネルに放送信号があった場合には、その対応策を対応履歴として順次蓄積する蓄積手段を備えており、
前記表示制御手段は、複数の対応策の中から１つの対応策を表示する順番を、前記蓄積手段に蓄積された対応策ごとの対応回数の多い順に行うことを特徴とする請求項２から請求項４までのいずれか１項に記載の放送信号受信装置。
【請求項６】
ユーザが任意の対応策を実行した後のチャンネル選局動作により、選局したチャンネルに放送信号があった場合には、その対応策を過去の直近の対応策として記憶する第１の記憶手段を備えており、
前記表示制御手段は、電源オン時に、直近の電源オフ時に選局していたチャンネルの選局動作を行い、選局したチャンネルに放送信号が無い場合には、前記第１の記憶手段に記憶されている過去の直近の対応策を最初に表示することを特徴とする請求項２から請求項４までのいずれか１項に記載の放送信号受信装置。
【請求項７】
電源オフ時直前の操作内容を記憶する第２の記憶手段を備えており、
前記表示制御手段は、電源オン時に、直近の電源オフ時に選局していたチャンネルの選局動作を行い、選局したチャンネルに放送信号が無い場合には、前記第２の記憶手段に記憶されている電源オフ時直前の操作内容に対応して予め設定された順番に従って対応策を表示することを特徴とする請求項２から請求項４までのいずれか１項に記載の放送信号受信装置。
【請求項８】
前記表示制御手段は、前記対応策の表示制御に関し、前記１つの対応策がチャンネル切り替えの指示である場合には、前記対応策を予め設定された複数回だけ繰り返し表示し、その後、次の１つの対応策の表示に移行することを特徴とする請求項２から請求項７までのいずれか１項に記載の放送信号受信装置。
【請求項９】
前記表示制御手段は、同期信号の有無により放送信号の有無を判断することを特徴とする請求項２から請求項８までのいずれか１項に記載の放送信号受信装置。
【発明の詳細な説明】
【技術分野】
【０００１】
本発明は、テレビジョン受像機やＤＶＤ（Digital Versatile Disc）レコーダ等の放送信号受信装置に係り、より詳細には、電源オン時に受信チャンネルが表示されない場合の対応策をユーザに指示することのできる放送信号受信装置に関する。
【背景技術】
【０００２】
従来のテレビジョン受像機等の放送信号受信装置は、購入後にまずアンテナ端子をアンテナプラグに接続し、電源コードを電源プラグに差し込んだ状態で、電源スイッチをオンする。この後、チャンネルのオートプリセットを選択することで、チャンネルプリセット処理が実行され、受信可能なチャンネルのみがメモリに記憶される。これにより、ユーザは、例えばリモコンのチャンネルアップ／ダウンキーを操作しても、放送信号の無いチャンネルはスキップされ、放送信号のあるチャンネルのみが順次選択されて、モニタ画面に表示されることになる。
【０００３】
ところで、このようなオートプリセットによるチャンネル設定が、例えば任意のチャンネルの放送終了時間帯に行われた場合には、そのチャンネルは無局チャンネルと判定されてしまうといった不具合があった。また、このような不具合を回避するために、例えば新たに局有り判定を受けたチャンネルを現在の有局チャンネル情報に追加記憶する処理を行うように構成すると、例えば閉局されたチャンネルなどが現在のチャンネル情報から削除されず、チャンネルアップ／ダウンキーの操作が行われた際、閉局チャンネルが選局されてしまうといった問題もあった。そこで、このような問題を解決したデジタル放送受信装置が提案されている（例えば、特許文献１参照）。
【０００４】
このデジタル放送受信装置は、現在チャンネル情報と新たなチャンネルサーチによる新チャンネル情報との間に差異が有る場合に現在チャンネル情報の登録状態を保持しつつ新チャンネル情報を記憶する手段と、前記差異が示されたチャンネル情報を画面に表示する手段と、前記画面上でのユーザ操作によって現在チャンネル情報の登録内容を新チャンネル情報に基づいて変更することを可能とする手段と、を備えた構成となっている。これにより、前記差異が示されたチャンネル情報の画面上でのユーザ操作によって、現在チャンネル情報の登録内容を新チャンネル情報に基づいて変更することが可能となるので、ユーザの判断やユーザの希望を反映させて新たなチャンネル情報の登録が可能となる。
【特許文献１】特開２００４−１８６９７５号公報
【発明の開示】
【発明が解決しようとする課題】
【０００５】
一方、上記のようにして有局チャンネル情報が常に最新の情報に更新されていたとしても、日々の使用に際し、例えばユーザが深夜や早朝に装置の電源をオンしたとき、直近の電源オフ時に選局していたチャンネルが、その時間帯は放送終了時間帯であった場合には、受信可能チャンネルであるにも関わらず、映像がモニタ画面に表示されないことになる。
【０００６】
また、最近ではペット等を室内で飼っている家庭が増えているが、このペットが室内を走り回った際に、装置のアンテナ端子を抜いてしまうといった問題も発生している。そして、アンテナ端子が抜けると、当然のことながらモニタ画面に映像が表示されることはない。
【０００７】
このような状態は、ユーザにしてみれば、電源オフ時までは映像が映っていたにも関わらず、次に電源をオンしたときに映像が映らないため、故障しているとの誤解を招く恐れがあった。このような誤解は、特にアメリカ市場において多く発生している。そして、このような誤解により、装置が故障しているわけではないにも関わらず、コールセンターへ問い合わせたり、場合によってはその商品が返品されてくるといったケースが多発しているのが現状である。
【０００８】
本発明はかかる実情に鑑みて創案されたもので、その目的は、電源オン時に受信チャンネルが表示されない場合の対応策をユーザに指示することで、上記のような誤解の発生を極力防止した放送信号受信装置を提供することにある。
【課題を解決するための手段】
【０００９】
上記課題を解決するため、本発明の放送信号受信装置は、電源オン時に、直近の電源オフ時に選局していたチャンネルの選局動作を行い、選局したチャンネルに放送信号が無い場合には、その後の対応策をユーザに対して表示する表示制御手段を備えた構成としている。ここで、表示する対応策としては、チャンネルの切り替え指示、アンテナ端子の接続確認指示、オートプリセットの実行指示、の少なくとも１つ以上とする。また、前記表示制御手段は、表示した前記対応策に従ってユーザが任意の対応策を実行した場合には、その後に再度チャンネルの選局動作を行い、チャンネルの選局動作の結果、選局したチャンネルに放送信号があった場合には、前記対応策の表示をオフする。ここで、選局したチャンネルに放送信号があるか無いかの判断は、同期信号の有無により判断することができる。
【００１０】
上記解決課題で説明したように、ユーザが深夜や早朝に装置の電源をオンしたとき、直近の電源オフ時に選局していたチャンネルが、その時間帯は放送終了時間帯であった場合には、受信可能チャンネルであるにも関わらず、映像がモニタ画面に表示されないといった状況が、日々の使用に際し発生する可能性がある。しかし、この状況は、あくまで選局したチャンネルがたまたま放送終了時間帯であっただけであり、他のチャンネルに切り替えれば放送信号を受信できる可能性が高い。この場合、モニタ画面に上記対応策を表示することで、ユーザが、表示された対応策の中の例えば「チャンネルの切り替え指示」に従ってチャンネルを切り替えれば、モニタ画面に映像が映し出されることになる。これにより、装置が故障しているとユーザが誤解することを防止できる。すなわち、ユーザにとっては、故障と誤解してコールセンターへ問い合わせるといった手間を省くことができ、ひいては製品の返品といった事態を回避することが可能となる。
【００１１】
また、本発明の放送信号受信装置は、電源オン時に、直近の電源オフ時に選局していたチャンネルの選局動作を行い、選局したチャンネルに放送信号が無い場合には、その後の対応策をユーザに対して表示する表示制御手段を備えており、前記表示制御手段は、予め設定されている複数の対応策の中から予め設定されている順番に従って１つの対応策を表示し、その対応策が実行された場合には、その後に再度チャンネルの選局動作を行い、選局したチャンネルに放送信号が無い場合には、前記順番に従って次の１つの対応策を表示する、といった処理を、前記選局動作により放送信号有りと判断されるまで行うことを特徴としている。ここで、表示する対応策としては、チャンネルの切り替え指示、アンテナ端子の接続確認指示、オートプリセットの実行指示、コールセンターへの問い合わせ指示、のいずれか１つである。
【００１２】
本発明によれば、モニタ画面に上記複数の対応策を、予め設定されている順番に従って１つずつ順次表示し、ユーザが、表示された対応策に従って順次操作を行うことにより、モニタ画面に映像が映し出されるようにユーザを導くことができる。これにより、装置が故障しているとユーザが誤解することを防止できる。すなわち、ユーザにとっては、コールセンターへ問い合わせるといった手間を省くことができ、ひいては製品の返品といった事態を回避することが可能となる。
【００１３】
また、本発明の放送信号受信装置は、ユーザが任意の対応策を実行した後のチャンネル選局動作により、選局したチャンネルに放送信号があった場合には、その対応策を対応履歴として順次蓄積する蓄積手段を備えており、前記表示制御手段は、複数の対応策の中から１つの対応策を表示する順番を、前記蓄積手段に蓄積された対応策ごとの対応回数の多い順に行うように構成している。このように、表示順を過去の対応回数の多い順とすることで、より早くモニタ画面に映像を映し出すことが可能となる。
【００１４】
また、本発明の放送信号受信装置は、ユーザが任意の対応策を実行した後のチャンネル選局動作により、選局したチャンネルに放送信号があった場合には、その対応策を過去の直近の対応策として記憶する第１の記憶手段を備えており、前記表示制御手段は、電源オン時に、直近の電源オフ時に選局していたチャンネルの選局動作を行い、選局したチャンネルに放送信号が無い場合には、前記第１の記憶手段に記憶されている過去の直近の対応策を最初に表示するように構成している。
【００１５】
すなわち、各ユーザの使用環境を考慮すると、電源オン時に映像が映らない状況というのは、同じような条件で発生することが多い、つまり、今回の状況も前回の状況と同じである可能性が高い。従って、表示順として、過去の直近の対応策を最初に表示するようにすることで、より早くモニタ画面に映像を映し出すことが可能となる。
【００１６】
また、本発明の放送信号受信装置は、電源オフ時直前の操作内容を記憶する第２の記憶手段を備えており、前記表示制御手段は、電源オン時に、直近の電源オフ時に選局していたチャンネルの選局動作を行い、選局したチャンネルに放送信号が無い場合には、前記第２の記憶手段に記憶されている電源オフ時直前の操作内容に対応して予め決定された順番に従って対応策を表示するように構成している。
【００１７】
すなわち、電源オフ時直前の操作内容を考慮することで、電源オン時に映像が映らない状況をある程度推測することが可能であるため、電源オフ時直前の操作内容に基づいて表示順を決定することで、より早くモニタ画面に映像を映し出すことが可能となる。
【００１８】
また、本発明の放送信号受信装置によれば、前記表示制御手段は、前記対応策の表示制御に関し、前記１つの対応策がチャンネル切り替えの指示である場合には、前記対応策を予め設定された複数回（例えば５回等）だけ繰り返し表示し、その後、次の１つの対応策の表示に移行するように構成してもよい。
【００１９】
例えば、チャンネル切り替え指示の場合、次に切り替えたチャンネルも放送終了時間帯である可能性もあり、この場合には、２〜３回チャンネルを切り替えることで、モニタ画面に映像を映し出すことが可能である。従って、チャンネル切り替え指示を例えば最大５回まで表示することで、ユーザはその指示に従って最大５回まではチャンネル切り替え操作を行うこととなり、より確実にモニタ画面に映像を映し出すことが可能となる。
【００２０】
なお、前記表示制御手段は、チャンネルの選局動作の結果、選局したチャンネル放送信号があった場合には、前記対応策の表示をオフとする。
【発明の効果】
【００２１】
本発明の放送信号受信装置によれば、電源オン時に、選局したチャンネルに放送信号が無い場合には、その後の対応策をユーザに対して表示するように構成したので、ユーザが、表示された対応策の中の例えばチャンネルの切り替え指示に従ってチャンネルを切り替えれば、モニタ画面に映像が映し出されることになる。これにより、装置が故障しているとユーザが誤解することを防止できるとともに、ユーザにとっては、コールセンターへ問い合わせるといった手間を省くことができ、ひいては製品の返品といった事態を回避することができる。
【発明を実施するための最良の形態】
【００２２】
以下、本発明の実施の形態について、図面を参照して説明する。
【００２３】
図１は、本発明の放送信号受信装置の一実施形態に係るテレビジョン受像機の電機的構成を示す機能ブロック図である。
【００２４】
このテレビジョン受像機は、チューナ１０、ＶＩＦ回路２０、ビデオＩＣ３０、オーディオＩＣ４０、リモコン５０、マイコン６０、Ｄ／Ａコンバータ７０、ＥＥＰＲＯＭ８０からなっている。
【００２５】
チューナ１０は、Ｕ／Ｖアンテナを介して所望のチャンネル周波数に応じた信号を受信し、所要の信号だけを選択して高周波増幅して出力する。このチューナ１０は、いわゆる電圧シンセサイザ方式を採用しており、同調電圧とバンド切替電圧の入力に基づいて所望のチャンネル周波数に同調する。なお、本実施形態においては、テレビ放送電波を受信する構成としているが、ケーブルテレビ放送などの他の放送形態に適用してもよく、適宜変更可能である。
【００２６】
チューナ１０から出力された信号は、ＶＩＦ回路２０にて映像中間周波増幅が施されてビデオＩＣ３０に出力される。また、音声中間周波信号は、映像中間周波信号の周波数である５８．７５ＭＨｚよりも４．５ＭＨｚ低いＦＭされた信号として存在しており、増幅後の信号を図示しないダイオードで振幅検波すると４．５ＭＨｚの第２音声中間周波信号として取り出される。そして、取り出された第２音声中間周波信号は、オーディオＩＣ４０にてＦＭ検波された後に適宜増幅されて、スピーカ１００から出力される。
【００２７】
一方、ビデオＩＣ３０では、上記のようにして入力される映像中間周波増幅後の信号にて映像検波し、同期分離や色再生などの各種の信号処理を施して、映像信号としてモニタ９０に出力する。さらに、このビデオＩＣ３０には、図示しないＡＦＴ回路が備えられており、このＡＦＴ回路によって実際の映像搬送波の周波数と基準周波数とのずれに応じたＡＦＴ（誤差）電圧を発生するようになっている。このＡＦＴ電圧は、図２に示すように、正規同調点ｆ０を中心とした逆Ｓ字状の電圧特性を有している。すなわち、実際の映像搬送波の周波数と基準周波数とが一致する場合にＡＦＴ電圧はＢ電圧となる。そして、両者が僅かにずれる場合に、そのずれの方向に応じて単調増加または単調減少の傾向を示し、両者が大きくずれた場合には、Ｂ電圧の上側と下側で飽和して一定となる。従って、実際のＡＦＴ電圧を検出してＢ電圧と比較すれば、上記のずれの程度と方向が判明することになる。
【００２８】
また、本実施形態のテレビジョン受像機では、リモコン５０を用いて各種の操作を実行可能となっている。このリモコン５０の操作パネル上には、図示は省略しているが、電源ボタン、チャンネルボタン、チャンネルアップ／ダウンボタン、ボリュームボタンなどが設けられており、それぞれの操作ボタンを押し下げると、対応する赤外線リモコン信号が送出される。そして、この赤外線リモコン信号を本体機側の図示しない赤外線リモコン信号受光部を介して受信し、マイコン６０が検知して対応する処理を実行するようになっている。
【００２９】
例えば、チューナ１０の受信チャンネルを指示する場合には、チャンネルボタンを押し下げるか、あるいはチャンネルアップ／ダウンボタンを押し下げる。すると、マイコン６０がこれを検知し、指示されたチャンネルを受信させるべくディジタルコード化された同調電圧データを出力する。この同調電圧データは、Ｄ／Ａコンバータ７０にてアナログの同調電圧に変換された後、チューナ１０に供給される。このとき、バンド切替電圧も同時に供給される。
【００３０】
本実施形態のチューナ１０は、電圧シンセサイザ方式を採用している。そのため、予め上記の同調電圧データをプリセットしておく必要がある。すなわち、予め「１」〜「１２」のチャンネル番号に対して所望の同調電圧データを割り当ててＥＥＰＲＯＭ８０に記憶させておくオートプリセット処理を実行し、対応するチャンネル番号の受信指示がなされたときに、マイコン６０が該当する同調電圧データを取り出して送出する構成とする。具体的には、ＥＥＰＲＯＭ８０のメモリ空間は、図３に示すように各チャンネル番号に対応したチャンネルポジションに分割されており、チャンネルポジションごとに同調電圧データを割り当てて記憶することができるようになっている。
【００３１】
実際の割り当て作業を行うにあたっては、マイコン６０にて所定のオートプリセット処理を実行させて記憶させるようにしている。この場合、ビデオＩＣ３０にて分離された同期信号と、ＡＦＴ電圧とをマイコン６０に取り込んでチューナ１０の選局周波数を略連続的に変化させ、同期信号が有り、かつ、ＡＦＴ電圧が最も小さくなる同調点を探索して所定のチャンネル番号に割り当てて記憶させるようにすればよい。
【００３２】
上記構成において、本実施形態では、マイコン６０は、リモコン５０の電源ボタンの押し下げによる電源オン時に、直近の電源オフ時に選局していたチャンネルの選局動作を行い、選局したチャンネルに放送信号が無い場合には、その後の対応策をユーザに対して表示するようになっている。
【００３３】
ここで、表示される対応策としては、「チャンネルの切り替え指示」、「アンテナ端子の接続確認指示」、「オートプリセットの実行指示」、の３つの対応策が用意されているものとする。これら３つの対応策のデータは、本実施形態ではＥＥＰＲＯＭ８０の所定の領域に予め保存されているものとする。
【００３４】
以下、電源オン時に、選局しているチャンネルに放送信号が無い場合のマイコン６０による対応策の表示処理動作について、具体的に実施例を挙げて説明する。
【実施例１】
【００３５】
本実施例１は、電源オン時に、選局しているチャンネルに放送信号が無い場合に、ＥＥＰＲＯＭ８０に保存されている対応策を一度にモニタ画面に表示する実施例である。以下、図４に示すフローチャートを参照して説明する。
【００３６】
リモコン８０の電源ボタンを押し下げすることにより電源がオンされると、マイコン６０は、直近の電源オフ時に選局していたチャンネルの選局動作を行い（ステップＳ１１）、同期信号の有無によって選局したチャンネルに放送信号があるか無いかを判断する（ステップＳ１２）。その結果、選局したチャンネルに放送信号が無いと判断した場合（ステップＳ１２でＮｏと判断された場合）には、ＥＥＰＲＯＭ８０に保存されている対応策を読み出し、ビデオＩＣ５０経由でモニタ９０の画面に全ての対応策を表示する（ステップＳ１３）。
【００３７】
このモニタ画面を見たユーザが、表示された対応策の中から任意の対応策を選択して実施すると（ステップＳ１４でＹｅｓと判断されると）、マイコン６０は、その対応策に応じた処理動作を実行する（ステップＳ１５）。具体的には、ユーザが、モニタ画面に表示された対応策の中から、例えば「チャンネル切り替え指示」に従ってリモコン８０の例えばチャンネルアップ／ダウンキーを操作すると、マイコン６０は、このチャンネル操作に従い、チャンネル選局動作を実行する。
【００３８】
この後、マイコン６０は、同期信号の有無によって選局したチャンネルに放送信号があるか無いかを判断する（ステップＳ１６）。その結果、選局したチャンネルに放送信号が無いと判断した場合（ステップＳ１６でＮｏと判断された場合）には、ステップＳ１３に戻り、再びモニタ９０の画面に全ての対応策を表示する。一方、選局したチャンネルに放送信号があると判断した場合（ステップＳ１６でＹｅｓと判断した場合）には、モニタ画面への対応策の表示をオフして（ステップＳ１７）、処理を終了する。すなわち、そのチャンネルの受信を継続することになる。
【００３９】
また、ステップＳ１３においてモニタ画面を見たユーザが、表示された対応策の中から例えば「アンテナ端子の接続確認指示」に従って、アンテナ端子の接続状態を確認した結果、アンテナ端子がアンテナプラグから抜けていた場合には、そのアンテナ端子をアンテナプラグに挿入する。これにより、マイコン６０は、アンテナ端子がアンテナプラグに接続されたことを検出すると（ステップＳ１４でＹｅｓと判断されると）、その時点で選局されているチャンネルの選局動作を実行する（ステップＳ１５）。その結果、選局したチャンネルに放送信号が無いと判断した場合（ステップＳ１６でＮｏと判断された場合）には、ステップＳ１３に戻り、再びモニタ９０の画面に全ての対応策を表示する。一方、選局したチャンネルに放送信号があると判断した場合（ステップＳ１６でＹｅｓと判断した場合）には、モニタ画面への対応策の表示をオフして（ステップＳ１７）、処理を終了する。すなわち、そのチャンネルの受信を継続することになる。
【００４０】
また、ステップＳ１３においてモニタ画面を見たユーザが、表示された対応策の中から例えば「オートプリセットの実行指示」に従って、オートプリセットを指示すると（ステップＳ１４でＹｅｓと判断されると）、マイコン６０は、オートプリセット動作を実行し、実行後に最初のチャンネルを受信状態としてモニタ画面に表示する（ステップＳ１５）。その結果、ステップＳ１６では、選局チャンネルに放送信号有りと判断されるので、モニタ画面への対応策の表示をオフして（ステップＳ１７）、処理を終了する。すなわち、そのチャンネルの受信を継続することになる。
【実施例２】
【００４１】
本実施例２は、電源オン時に、選局しているチャンネルに放送信号が無い場合に、ＥＥＰＲＯＭ８０に保存されている複数の対応策を、予め設定されている順番に従って１つずつモニタ画面に表示する実施例である。以下、図５に示すフローチャートを参照して説明する。
【００４２】
リモコン８０の電源ボタンを押し下げすることにより電源がオンされると、マイコン６０は、直近の電源オフ時に選局していたチャンネルの選局動作を行い（ステップＳ２１）、同期信号の有無によって選局したチャンネルに放送信号があるか無いかを判断する（ステップＳ２２）。その結果、選局したチャンネルに放送信号が無いと判断した場合（ステップＳ２２でＮｏと判断された場合）には、ＥＥＰＲＯＭ８０に保存されている対応策を読み出し、予め設定された順番に従って、最初の対応策をモニタ９０の画面に表示する（ステップＳ２３）。ここで、本実施例２では、表示する対応策の順番として、例えば１番目が「チャンネルの切り替え指示」、２番目が「アンテナ端子の接続確認指示」、３番目が「オートプリセットの実行指示」に設定されているものとする。従って、モニタ画面には、１番目の対応策である「チャンネルの切り替え指示」が表示されている。
【００４３】
このモニタ画面を見たユーザが、表示された対応策を実施すると（ステップＳ２４でＹｅｓと判断されると）、マイコン６０は、その対応策に応じた処理動作を実行する（ステップＳ２５）。具体的には、ユーザが、モニタ画面に表示された「チャンネル切り替え指示」に従ってリモコン８０の例えばチャンネルアップ／ダウンキーを操作すると、マイコン６０は、このチャンネル操作に従い、チャンネル選局動作を実行する。
【００４４】
この後、マイコン６０は、同期信号の有無によって選局したチャンネルに放送信号があるか無いかを判断する（ステップＳ２６）。その結果、選局したチャンネルに放送信号があると判断した場合（ステップＳ２６でＹｅｓと判断した場合）には、モニタ画面への対応策の表示をオフして（ステップＳ２７）、処理を終了する。すなわち、そのチャンネルの受信を継続することになる。一方、選局したチャンネルに放送信号が無いと判断した場合（ステップＳ２６でＮｏと判断された場合）には、ステップＳ２３に戻り、予め設定された順番に従って、次の対応策をモニタ９０の画面に表示する。
【００４５】
このモニタ画面を見たユーザが、表示された「アンテナ端子の接続確認指示」に従って、アンテナ端子の接続状態を確認した結果、アンテナ端子がアンテナプラグから抜けていた場合には、そのアンテナ端子をアンテナプラグに挿入する。これにより、マイコン６０は、アンテナ端子がアンテナプラグに接続されたことを検出すると（ステップＳ２４でＹｅｓと判断されると）、その時点で選局されているチャンネルの選局動作を実行する（ステップＳ２５）。その結果、選局したチャンネルに放送信号があると判断した場合（ステップＳ２６でＹｅｓと判断した場合）には、モニタ画面への対応策の表示をオフして（ステップＳ２７）、処理を終了する。すなわち、そのチャンネルの受信を継続することになる。一方、選局したチャンネルに放送信号が無いと判断した場合（ステップＳ２６でＮｏと判断された場合）には、ステップＳ２３に戻り、予め設定された順番に従って、次の対応策をモニタ９０の画面に表示する。すなわち、３番目の対応策である「オートプリセットの実行指示」を表示する。
【００４６】
このモニタ画面を見たユーザが、表示された「オートプリセットの実行指示」に従って、オートプリセットを指示すると（ステップＳ２４でＹｅｓと判断されると）、マイコン６０は、オートプリセット動作を実行し、実行後に最初のチャンネルを受信状態としてモニタ画面に表示する（ステップＳ２５）。その結果、ステップＳ２６では、選局チャンネルに放送信号有りと判断されるので、モニタ画面への対応策の表示をオフして（ステップＳ２７）、処理を終了する。すなわち、そのチャンネルの受信を継続することになる。
【実施例３】
【００４７】
本実施例３は、電源オン時に、選局しているチャンネルに放送信号が無い場合に、ＥＥＰＲＯＭ８０に保存されている複数の対応策を、過去の対応回数の多い順に従って１つずつモニタ画面に表示する実施例である。ただし、本実施例３では、対応策ごとの過去の対応回数のデータを、ＥＥＰＲＯＭ８０の所定の領域に保存することとする。
以下、図６及び図７に示すフローチャートを参照して説明する。
【００４８】
図６は、過去の対応回数を対応策ごとにカウントしてＥＥＰＲＯＭ８０に保存する処理を示すフローチャートである。
【００４９】
すなわち、マイコン６０は、対応策をモニタ画面に表示している状態において（ステップＳ３１）、ユーザによりその対応策が選択されたか否かを判断する（ステップＳ３２）。その結果、ユーザによって対応策が実施された場合（ステップＳ３２でＹｅｓと判断された場合）には、マイコン６０は、その対応策に応じた処理動作を実行する（ステップＳ３３）。この後、マイコン６０は、同期信号の有無によって選局したチャンネルに放送信号があるか無いかを判断し（ステップＳ３４）、選局したチャンネルに放送信号が無いと判断した場合（ステップＳ３４でＮｏと判断された場合）には、ステップＳ３１に戻る。一方、選局したチャンネルに放送信号があると判断した場合（ステップＳ３４でＹｅｓと判断した場合）には、ステップＳ３３で実行した対応策の対応回数を＋１してＥＥＰＲＯＭ８０の所定の領域に保存する。このような処理を、対応策が実行されるごとに繰り返すことにより、ＥＥＰＲＯＭ８０の所定の領域には、対応策ごとの過去の対応回数が順次蓄積されていくことになる。なお、この対応回数のデータは、直近のある一定期間（例えば直近３カ月間等）のデータを保持するようにしておけば、常に最新の対応回数のデータを保存することが可能である。
【００５０】
図８は、ＥＥＰＲＯＭ８０の所定の領域に保存されている対応策ごとの過去の対応回数データの一例を示している。この例では、過去の対応回数が、「チャンネル切り替え指示」が１５回、「アンテナ端子の接続確認指示」が４回、「オートプリセットの実行指示」が１回となっている。
【００５１】
次に、上記のようにして保存された、対応策ごとの過去の対応回数のデータを利用して、電源オン時に、選局しているチャンネルに放送信号が無い場合の対応策の表示処理について、図７に示すフローチャートを参照して説明する。
【００５２】
リモコン８０の電源ボタンを押し下げすることにより電源がオンされると、マイコン６０は、直近の電源オフ時に選局していたチャンネルの選局動作を行い（ステップＳ４１）、同期信号の有無によって選局したチャンネルに放送信号があるか無いかを判断する（ステップＳ４２）。その結果、選局したチャンネルに放送信号が無いと判断した場合（ステップＳ４２でＮｏと判断された場合）には、ＥＥＰＲＯＭ８０に保存されている対応策のデータと対応回数のデータとを読み出し、対応回数の多い順に従って、最初の対応策をモニタ９０の画面に表示する（ステップＳ４３）。本実施例３では、図８に示すように、過去の対応回数の最も多いのが「チャンネルの切り替え指示」であるので、モニタ画面には、「チャンネルの切り替え指示」が表示されている。
【００５３】
このモニタ画面を見たユーザが、表示された対応策を実施すると（ステップＳ４４でＹｅｓと判断されると）、マイコン６０は、その対応策に応じた処理動作を実行する（ステップＳ４５）。具体的には、ユーザが、モニタ画面に表示された「チャンネル切り替え指示」に従ってリモコン８０の例えばチャンネルアップ／ダウンキーを操作すると、マイコン６０は、このチャンネル操作に従い、チャンネル選局動作を実行する。
【００５４】
この後、マイコン６０は、同期信号の有無によって選局したチャンネルに放送信号があるか無いかを判断する（ステップＳ４６）。その結果、選局したチャンネルに放送信号があると判断した場合（ステップＳ４６でＹｅｓと判断した場合）には、モニタ画面への対応策の表示をオフして（ステップＳ４７）、処理を終了する。すなわち、そのチャンネルの受信を継続することになる。一方、選局したチャンネルに放送信号が無いと判断した場合（ステップＳ４６でＮｏと判断された場合）には、ステップＳ４３に戻り、対応回数の多い順に従って、次に多い対応策をモニタ９０の画面に表示する。すなわち、「アンテナ端子の接続確認指示」を表示する。
【００５５】
このモニタ画面を見たユーザが、表示された「アンテナ端子の接続確認指示」に従って、アンテナ端子の接続状態を確認した結果、アンテナ端子がアンテナプラグから抜けていた場合には、そのアンテナ端子をアンテナフラグに挿入する。これにより、マイコン６０は、アンテナ端子がアンテナプラグに接続されたことを検出すると（ステップＳ４４でＹｅｓと判断されると）、その時点で選局されているチャンネルの選局動作を実行する（ステップＳ４５）。その結果、選局したチャンネルに放送信号があると判断した場合（ステップＳ４６でＹｅｓと判断した場合）には、モニタ画面への対応策の表示をオフして（ステップＳ４７）、処理を終了する。すなわち、そのチャンネルの受信を継続することになる。一方、選局したチャンネルに放送信号が無いと判断した場合（ステップＳ４６でＮｏと判断された場合）には、ステップＳ４３に戻り、対応回数の多い順に従って、その次に多い対応策をモニタ９０の画面に表示する。すなわち、「オートプリセットの実行指示」を表示する。
【００５６】
このモニタ画面を見たユーザが、表示された「オートプリセットの実行指示」に従って、オートプリセットを指示すると（ステップＳ４４でＹｅｓと判断されると）、マイコン６０は、オートプリセット動作を実行し、実行後に最初のチャンネルを受信状態としてモニタ画面に表示する（ステップＳ４５）。その結果、ステップＳ４６では、選局チャンネルに放送信号有りと判断されるので、モニタ画面への対応策の表示をオフして（ステップＳ４７）、処理を終了する。すなわち、そのチャンネルの受信を継続することになる。
【実施例４】
【００５７】
本実施例４は、電源オン時に、選局したチャンネルに放送信号が無い場合には、過去の直近の対応策を最初に表示するようにした実施例である。ただし、本実施例４では、過去の直近の対応策のデータは、マイコン６０の図示しない内部メモリに保存することとする。また、過去の直近の対応策のデータを保存する処理については、上記実施例３の図６で説明した対応策ごとの過去の対応回数のデータを、ＥＥＰＲＯＭ８０の所定の領域に保存する処理とほとんど同じであり、異なるところは、ステップＳ３５の処理だけである。すなわち、本実施例４では、同期信号有りと判断された場合のステップＳ３５での処理が、ステップＳ３２で実行された対応策の種類のデータをマイコン６０の内部メモリに保存（ここでは、上書き保存）する処理になるだけである。これにより、マイコン６０の内部メモリには、常に、過去の直近に実施された対応策の種類を示すデータが、更新されながら保存されることになる。
【００５８】
次に、上記のようにして保存された、過去の直近の対応策の種類データを利用して、電源オン時に、選局しているチャンネルに放送信号が無い場合の対応策の表示処理について、図９に示すフローチャートを参照して説明する。
【００５９】
リモコン８０の電源ボタンを押し下げすることにより電源がオンされると、マイコン６０は、直近の電源オフ時に選局していたチャンネルの選局動作を行い（ステップＳ５１）、同期信号の有無によって選局したチャンネルに放送信号があるか無いかを判断する（ステップＳ５２）。その結果、選局したチャンネルに放送信号が無いと判断した場合（ステップＳ５２でＮｏと判断された場合）には、内部メモリに保存されている過去の直近の対応策の種類データに基づき、過去の直近の対応策をモニタ９０の画面に表示する（ステップＳ５３）。例えば、過去の直近の対応策が「チャンネルの切り替え指示」であったとすると、モニタ画面には、「チャンネルの切り替え指示」が表示されている。
【００６０】
このモニタ画面を見たユーザが、表示された対応策を実施すると（ステップＳ５４でＹｅｓと判断されると）、マイコン６０は、その対応策に応じた処理動作を実行する（ステップＳ５５）。具体的には、ユーザが、モニタ画面に表示された「チャンネル切り替え指示」に従ってリモコン８０の例えばチャンネルアップ／ダウンキーを操作すると、マイコン６０は、このチャンネル操作に従い、チャンネル選局動作を実行する。
【００６１】
この後、マイコン６０は、同期信号の有無によって選局したチャンネルに放送信号があるか無いかを判断する（ステップＳ５６）。その結果、選局したチャンネルに放送信号があると判断した場合（ステップＳ５６でＹｅｓと判断した場合）には、モニタ画面への対応策の表示をオフして（ステップＳ５７）、処理を終了する。すなわち、そのチャンネルの受信を継続することになる。一方、選局したチャンネルに放送信号が無いと判断した場合（ステップＳ５６でＮｏと判断された場合）には、予め設定されている表示順に従って、次の対応策をモニタ９０の画面に表示する（ステップＳ５８）。例えば、「アンテナ端子の接続確認指示」を表示する。
【００６２】
このモニタ画面を見たユーザが、表示された「アンテナ端子の接続確認指示」に従って、アンテナ端子の接続状態を確認した結果、アンテナ端子がアンテナプラグから抜けていた場合には、そのアンテナ端子をアンテナプラグに挿入する。これにより、マイコン６０は、アンテナ端子がアンテナプラグに接続されたことを検出すると（ステップＳ５４でＹｅｓと判断されると）、その時点で選局されているチャンネルの選局動作を実行する（ステップＳ５５）。その結果、選局したチャンネルに放送信号があると判断した場合（ステップＳ５６でＹｅｓと判断した場合）には、モニタ画面への対応策の表示をオフして（ステップＳ５７）、処理を終了する。すなわち、そのチャンネルの受信を継続することになる。一方、選局したチャンネルに放送信号が無いと判断した場合（ステップＳ５６でＮｏと判断された場合）には、ステップＳ５８へと動作を進め、予め設定されている表示順に従って、次の対応策をモニタ９０の画面に表示する。例えば、「オートプリセット実行指示」を表示する。
【００６３】
このモニタ画面を見たユーザが、表示された「オートプリセットの実行指示」に従って、オートプリセットを指示すると（ステップＳ５４でＹｅｓと判断されると）、マイコン６０は、オートプリセット動作を実行し、実行後に最初のチャンネルを受信状態としてモニタ画面に表示する（ステップＳ５５）。その結果、ステップＳ５６では、選局チャンネルに放送信号有りと判断されるので、モニタ画面への対応策の表示をオフして（ステップＳ５７）、処理を終了する。すなわち、そのチャンネルの受信を継続することになる。
【実施例５】
【００６４】
本実施例５は、電源オン時に、選局したチャンネルに放送信号が無い場合には、電源オフ時直前の操作内容に対応して予め決定された順番に従って対応策を表示する実施例である。ただし、本実施例５では、電源オフ直前の操作内容のデータは、マイコン６０の図示しない内部メモリに保存することとする。また、操作内容に対応して予め決定された対応策の表示順のデータは、ＥＥＰＲＯＭ８０の所定の領域に保存することとする。
【００６５】
図１０は、ＥＥＰＲＯＭ８０に保存されている、操作内容に対応して予め決定された対応策の表示順のデータの一例を示している。この例では、電源オフ直前の操作内容として、「オートプリセット」と「チャンネルアップ／ダウンキーまたはボリュームキー」の２種類となっている。すなわち、初期設定の操作と通常使用時の操作の２種類となっている。ただし、この２種類は例示であり、これに限定されるものではない。
【００６６】
次に、上記のようにして内部メモリに保存された電源オフ時直前の操作内容を利用して、電源オン時に、選局しているチャンネルに放送信号が無い場合の対応策の表示処理について、図１１に示すフローチャートを参照して説明する。
【００６７】
リモコン８０の電源ボタンを押し下げすることにより電源がオンされると、マイコン６０は、直近の電源オフ時に選局していたチャンネルの選局動作を行い（ステップＳ６１）、同期信号の有無によって選局したチャンネルに放送信号があるか無いかを判断する（ステップＳ６２）。その結果、選局したチャンネルに放送信号が無いと判断した場合（ステップＳ６２でＮｏと判断された場合）には、マイコン６０の内部メモリに保存されている電源オフ時直前の操作内容のデータを読み出し（ステップＳ６３）、次に、その操作内容に対応して予め設定されている対応策の表示順のデータをＥＥＰＲＯＭ８０から読み出し、予め設定されている順番に従って、最初の対応策をモニタ９０の画面に表示する（ステップＳ６４）。ここで、本実施例５では、電源オフ時直前の操作内容が「チャンネルアップ／ダウンキーまたはボリュームキー」であった場合について説明する。すなわち、この場合には、表示する対応策の順番として、１番目が「アンテナ端子の接続確認指示」、２番目が「チャンネル切り替え指示」、３番目が「オートプリセットの実行指示」となっている。従って、モニタ画面には、１番目の対応策である「アンテナ端子の接続確認指示」が表示されている。
【００６８】
このモニタ画面を見たユーザが、表示された対応策を実施すると（ステップＳ６５でＹｅｓと判断されると）、マイコン６０は、その対応策に応じた処理動作を実行する（ステップＳ６６）。具体的には、ユーザが、表示された「アンテナ端子の接続確認指示」に従って、アンテナ端子の接続状態を確認した結果、アンテナ端子がアンテナプラグから抜けていた場合には、そのアンテナ端子をアンテナプラグに挿入する。これにより、マイコン６０は、アンテナ端子がアンテナプラグに接続されたことを検出すると（ステップＳ６５でＹｅｓと判断されると）、その時点で選局されているチャンネルの選局動作を実行する（ステップＳ６６）。
【００６９】
この後、マイコン６０は、同期信号の有無によって選局したチャンネルに放送信号があるか無いかを判断する（ステップＳ６７）。その結果、選局したチャンネルに放送信号があると判断した場合（ステップＳ６７でＹｅｓと判断した場合）には、モニタ画面への対応策の表示をオフして（ステップＳ６８）、処理を終了する。すなわち、そのチャンネルの受信を継続することになる。一方、選局したチャンネルに放送信号が無いと判断した場合（ステップＳ６７でＮｏと判断された場合）には、ステップＳ６４に戻り、予め設定された順番に従って、次の対応策をモニタ９０の画面に表示する。すなわち、２番目の対応策である「チャンネル切り替え指示」を表示する。
【００７０】
このモニタ画面を見たユーザが、表示された「チャンネル切り替え指示」に従って、リモコン８０の例えばチャンネルアップ／ダウンキーを操作すると（ステップＳ６５でＹｅｓと判断されると）、マイコン６０は、このチャンネル操作に従い、チャンネル選局動作を実行する（ステップＳ６６）。その結果、選局したチャンネルに放送信号があると判断した場合（ステップＳ６７でＹｅｓと判断した場合）には、モニタ画面への対応策の表示をオフして（ステップＳ６８）、処理を終了する。すなわち、そのチャンネルの受信を継続することになる。一方、選局したチャンネルに放送信号が無いと判断した場合（ステップＳ６７でＮｏと判断された場合）には、ステップＳ６４に戻り、予め設定された順番に従って、次の対応策をモニタ９０の画面に表示する。すなわち、３番目の対応策である「オートプリセットの実行指示」を表示する。
【００７１】
このモニタ画面を見たユーザが、表示された「オートプリセットの実行指示」に従って、オートプリセットを指示すると（ステップＳ６５でＹｅｓと判断されると）、マイコン６０は、オートプリセット動作を実行し、実行後に最初のチャンネルを受信状態としてモニタ画面に表示する（ステップＳ６６）。その結果、ステップＳ６７では、選局チャンネルに放送信号有りと判断されるので、モニタ画面への対応策の表示をオフして（ステップＳ６８）、処理を終了する。すなわち、そのチャンネルの受信を継続することになる。
【００７２】
上記実施例１〜実施例５では、対応策である「チャンネル切り替え指示」に対して、ユーザがチャンネル切り替え操作を１回行っても映像が表示されない場合には、次の対応策（例えば、「アンテナ端子の接続確認指示」等）の表示に移行するようになっているが、チャンネル切り替え指示については、複数回まで繰り返し表示するようにしてもよい。
【００７３】
すなわち、チャンネル切り替え指示の場合、次に切り替えたチャンネルも放送終了時間帯である可能性もあり、この場合には、２〜３回チャンネルを切り替えることで、モニタ画面に映像を映し出すことが可能である。従って、チャンネル切り替え指示を例えば最大５回まで連続して表示することで、ユーザはその指示に従って最大５回まではチャンネル切り替え操作を行うこととなり、より確実にモニタ画面に映像を映し出すことが可能となる。
【図面の簡単な説明】
【００７４】
【図１】本発明の一実施形態に係るテレビジョン受像機の電機的構成を示す機能ブロック図である。
【図２】ＡＦＴ電圧特性を示す説明図である。
【図３】チャンネルポジションのデータ格納例を概念的に示した説明図である。
【図４】電源オン時に選局しているチャンネルに放送信号が無い場合に、その対応策をモニタ画面に表示する実施例１の処理動作を示すフローチャートである。
【図５】電源オン時に選局しているチャンネルに放送信号が無い場合に、その対応策をモニタ画面に表示する実施例２の処理動作を示すフローチャートである。
【図６】対応策の対応回数をカウントする実施例３に対応する処理動作を示すフローチャートである。
【図７】電源オン時に選局しているチャンネルに放送信号が無い場合に、その対応策をモニタ画面に表示する実施例３の処理動作を示すフローチャートである。
【図８】ＥＥＰＲＯＭの所定の領域に保存されている対応策ごとの過去の対応回数のデータの一例を示す説明図である。
【図９】電源オン時に選局しているチャンネルに放送信号が無い場合に、その対応策をモニタ画面に表示する実施例４の処理動作を示すフローチャートである。
【図１０】ＥＥＰＲＯＭに保存されている、操作内容に対応して予め決定された対応策の表示順のデータの一例を示す説明図である。
【図１１】電源オン時に選局しているチャンネルに放送信号が無い場合に、その対応策をモニタ画面に表示する実施例５の処理動作を示すフローチャートである。
【符号の説明】
【００７５】
１０  チューナ
２０  ＶＩＦ回路
３０  ビデオＩＣ
４０  オーディオＩＣ
５０  リモコン
６０  マイコン
７０  Ｄ／Ａコンバータ
８０  ＥＥＰＲＯＭ
９０  モニタ
１００  スピーカ
【図１】
0004586663.tif 000002
【図２】
0004586663.tif 000003
【図３】
0004586663.tif 000004
【図４】
0004586663.tif 000005
【図５】
0004586663.tif 000006
【図６】
0004586663.tif 000007
【図７】
0004586663.tif 000008
【図８】
0004586663.tif 000009
【図９】
0004586663.tif 000010
【図１０】
0004586663.tif 000011
【図１１】
0004586663.tif 000012